(57)【要約】【課題】  プリンタ装置のカラー情報を変更する際に、プリンタ装置単位で変更するので、プリンタ装置が複数存在した場合、プリンタ装置の数だけカラー調整を行う必要があった。【解決手段】  上位装置でカラーの特性であるハイライト値、中間調値、シャドー値等のガンマ値を設定したカラー情報を基本となるプリンタ装置に接続する接続手段と、上位装置で設定されたカラー情報を設定しておく設定手段と、設定手段によって調整されたカラー情報を格納しておく格納手段と、基本プリンタ装置で調整されたカラー情報からプリンタ装置に最適なカラー情報に変換する情報変換手段と、基本になるプリンタ装置に設定されているカラー情報を監視する情報監視手段と、基本プリンタ装置からカラー情報を採取する情報取得手段を有し、プリンタ装置に最適なカラー調整し印刷することができる。【選択図】  図１
2005329673.tif 000002
【特許請求の範囲】
【請求項１】
カラーの特性であるハイライト値，中間調値，シャドー値等のガンマ値を設定してカラー情報として送信する上位装置と、
前記カラー情報を受信する接続手段と、前記カラー情報を自己のカラー情報として設定する設定手段と、前記設定されたカラー情報を格納する格納手段と、前記設定されたカラー情報を自己に適したカラー情報に変換する情報変換手段と、前記カラー情報を監視する情報監視手段とを有する基準プリンタと、
基準プリンタから前記カラー情報を取得する情報取得手段を有するプリンタと
を備えたことを特徴とする印刷システム。
【請求項２】
前記プリンタは、前記基準プリンタのカラー情報を監視する情報監視手段を有し、前記カラー情報が変更されたときに、取得したカラー情報を前記プリンタに適したカラー情報に変換することを特徴とする請求項１記載の印刷システム。
【請求項３】
上位装置と、前記上位装置とネットワークを介して接続された第１のプリンタと、前記第１のプリンタとネットワークを介して接続された第２のプリンタを有する印刷システムの制御方法において、
前記第１のプリンタは、前記上位装置から送信されるカラー情報を受信し、前記カラー情報を自己のカラー情報として設定し、前記設定されたカラー情報を格納し、前記設定されたカラー情報を前記第1のプリンタに適したカラー情報に変換し、
前記第２のプリンタは、前記第１のプリンタのカラー情報を取得することを特徴とする印刷システムの制御方法。
【請求項４】
一つのプリンタでカラー情報が変更された場合、他のプリンタも同じカラー情報に変換されることを特徴とする請求項３記載の印刷システムの制御方法。
【発明の詳細な説明】
【技術分野】
【０００１】
本発明は、カラー印刷を行うプリンタを複数台備えた印刷システム及びその制御方法に関するものである。
【背景技術】
【０００２】
従来の印刷システムにおけるプリンタのカラー調整は、プリンタ毎にカラー調整を行っていた（例えば特許文献１）。また、プリンタの機種により印刷される結果が異なっているため、同じ印刷結果が得られなかった。
【０００３】
またプリンタが複数存在した場合には、プリンタの数だけカラー調整を行う必要があった。更にプリンタ毎に本体のカラー状態を考慮に入れてカラー調整を行う必要があった。
【０００４】
【特許文献１】特開２００３−１７９７６４号公報
【発明の開示】
【発明が解決しようとする課題】
【０００５】
プリンタ装置のカラー情報の変更を、容易に行うことのできる印刷システムを提供する。
【課題を解決するための手段】
【０００６】
カラーの特性であるハイライト値，中間調値，シャドー値等のガンマ値を設定してカラー情報として送信する上位装置と、カラー情報を受信する接続手段と、カラー情報を自己のカラー情報として設定する設定手段と、設定されたカラー情報を格納する格納手段と、設定されたカラー情報を自己に適したカラー情報に変換する情報変換手段と、カラー情報を監視する情報監視手段とを有する基準プリンタと、基準プリンタからカラー情報を取得する情報取得手段を有するプリンタとを備えた印刷システムとする。
【発明の効果】
【０００７】
プリンタ毎にカラー調整を行わずに基準プリンタのみカラー調整をすれば他のプリンタのカラー調整を自動的に行う印刷システムであって、オペレータの使い勝手を良くすることができる。
【発明を実施するための最良の形態】
【０００８】
本発明の一実施例を、図を用いて説明する。
【０００９】
図１は、上位装置とプリンタ装置を接続した模式図である。以下、本実施例では、上位装置をパソコン装置１，基準となるプリンタを基本プリンタ装置７として説明する。
【００１０】
図１において、パソコン装置１上で、基本プリンタ装置７のハイライト値，中間調値，シャドー値等のガンマ特性を元にカラー情報の設定をする。基本プリンタ装置７は、接続手段２を介し、パソコン装置１で設定したハイライト値，中間調値，シャドー値，等のカラー情報を取得する。パソコン装置１から送られてきたカラー特性のカラー情報を、設定手段３を用いて基本プリンタ装置７の設定値として設定する。基本プリンタ装置７は、基本プリンタ装置７の機種の特性を元に、設定されたカラー情報により、情報変換手段４にて基本プリンタ装置７に適したカラー設定を計算して求める。情報変換手段４で計算されたカラー調整値が、どのタイミングで更新された情報か、日時等を情報監視手段５に登録する。同時に情報変換手段４で設定されたカラー調整値を格納手段６に格納する。
【００１１】
図２は、プリンタの情報を監視するシステムの模式図である。基本プリンタ装置７はカラー情報，変更日時等の情報を自らの情報監視手段５に登録する。その他のプリンタ装置９は、ネットワークを介して情報監視手段１０を使用して基本プリンタ装置７のカラー情報を監視する。基本プリンタ装置７の情報監視手段５に登録されているカラー情報，変更日時等の情報がプリンタ装置９の情報監視手段１０に登録されているカラー情報が同じ情報であればカラー情報は変更されない。基本プリンタ装置７に登録されている情報が、プリンタ装置９に登録さている情報より新しい情報が存在した場合には、情報取得手段１１により基本プリンタ装置７に登録されているカラー情報をプリンタ装置９が取得する。取得されたカラー情報により、プリンタ装置９に最適なカラー情報に変換を行う。なお図２では、基本プリンタ装置７とプリンタ装置９が、それぞれ１台ずつ記載されているが、プリンタ装置９はネットワーク８を介して、その他に複数のプリンタ装置が接続されていても良い。また、プリンタ装置９が複数台存在する場合は、基本プリンタ装置７も複数台存在し、基本プリンタ装置７を１台でプリンタ装置９を複数とするグループとして制御を行っても良い。
【００１２】
図３はカラー情報の変換処理について説明する模式図である。図２で説明したように、プリンタ装置９は、基本プリンタ装置７から最新のカラー情報を取得する。プリンタ装置９は、基本プリンタ装置７とのプリンタの機種による差分１３を記憶手段に登録しておく。同様に、基本プリンタ７のカラー調整値１２も記憶手段に登録しておく。図３の基本プリンタ装置のカラー調整値１２と基本プリンタ装置との差分１３は、それぞれのデータが登録される記憶手段の領域を示している。プリンタ装置９は、基本プリンタ装置の調整値１２と基本プリンタ装置との差分１３から、計算を行う。登録されている基本となるプリンタ装置との差分値を加算、減算を行い、プリンタ装置固有のカラー情報を算出する。プリンタ装置９は、計算されたカラー情報を元にプリンタ装置９に最適なカラー調整を行い、ガンマテーブルを生成しなおし、新しく生成されたガンマテーブルが記憶手段に格納される。基本プリンタ装置７でカラー情報が変更されない場合、プリンタ装置９は、現在調整を行ったカラー調整値で印刷される。
【００１３】
本実施例で説明したプリンタシステムでは、カラー情報を設定する設定手段と、調整されたカラー情報を格納しておく格納手段と、調整されたカラー情報からプリンタ装置に最適なカラー情報に変換する情報変換手段と、カラー情報を採取する情報取得手段を有することにより、プリンタ装置に最適なカラー調整し印刷するこができる。
【００１４】
プリンタ装置同士を接続する為の接続手段を有し、一つのプリンタ装置でカラー情報が変更された場合、その他の複数プリンタ装置が同じカラー情報に変換される情報変換手段を有することにより、どのプリンタ装置から印刷しても同じ結果が得られることができる。
【００１５】
一つのプリンタ装置のカラー情報を基本にし、その他のプリンタ装置は基本のプリンタ装置のカラー情報を監視する監視手段を有し、カラー情報が変更された時に取得されたカラー情報からプリンタ装置に適したカラー情報に変換することができる。
【図面の簡単な説明】
【００１６】
【図１】上位装置と基本プリンタ装置の模式図である。
【図２】基本プリンタ装置とプリンタ装置の模式図である。
【図３】カラー情報の変換処理を説明する模式図である。
【符号の説明】
【００１７】
１…パソコン装置、２…接続手段、３…設定手段、４…情報交換手段、５，１０…情報監視手段、６…格納手段、７…基本プリンタ装置、８…ネットワーク、９…プリンタ装置、１１…情報取得手段、１２…基本プリンタ装置のカラー調整値、１３…基本プリンタ装置との差分、１４…プリンタ装置のカラー調整値。
【図１】
2005329673.tif 000003
【図２】
2005329673.tif 000004
【図３】
2005329673.tif 000005